(57)【要約】【課題】本発明は、踏み板が開閉可能な収納部を有し、階段下の未利用の階段下の空間を有効利用することができる収納階段及びその製造方法を提供するものである。【解決手段】蹴込み板１１と、該蹴込み板１１と直交するよう取付け接合される踏み板１２と、前記蹴込み板１１を取付け固定する側板１３と、少なくとも階段であって、踏み板１２は後方において開閉用のヒンジを有し、さらに前記蹴込み板１１の後方で、かつ踏み板１２の下方には、少なくとも底面板２１と奥面板２２と開閉補助手段からなる収納部２を有することを特徴とする収納階段である。【選択図】図１
2005009092.tif 000002
【特許請求の範囲】
【請求項１】
蹴込み板と、該蹴込み板と直交するよう取付け接合される踏み板と、前記蹴込み板を取付け固定する側板と、少なくとも前記蹴込み板及び踏み板を支承する力桁とにより構成される階段であって、踏み板は後方において開閉用のヒンジを有し、さらに蹴込み板の後方で、かつ踏み板の下方には、少なくとも底面板と奥面板と開閉補助手段からなる収納部を有することを特徴とする収納階段。
【請求項２】
底面板及び奥面板は、プレカット製品として予め木材加工されたものであって、針葉樹木材からなる寸法安定集成材、該寸法安定集成材を芯材とするランバー合板のいずれか又は双方により構成されていることを特徴とする請求項１に記載の収納階段。
【請求項３】
底面板及び奥面板は、ダボ接合又は釘打ち接合及び接着剤接合の併用接合、蟻形打付け継ぎ接合、包蟻組継ぎ接合のいずれかであることを特徴とする請求項１又は請求項２に記載の収納階段。
【請求項４】
開閉補助手段は、埋込み引手、下りブラ引手、マグネットキャッ
チ、リンクたすき具、まね付き丁番、スライド丁番、爪掛け開閉具のいずれか１種以上の組み合せ具であることを特徴とする請求項１、請求項２又は請求項３に記載の収納階段。
【請求項５】
収納部は、前面板と側面板と底面板と奥面板又は前面板と底面板と奥面板とにより構成されていることを特徴とする請求項１、請求項２、請求項３又は請求項４に記載の収納階段。
【請求項６】
蹴込み板は、上方表面部に滑り止め凹凸部を刻設した段鼻部及びこれと下方に連なる入隅部を有し、かつ湾曲扁平状ないし略扁平三角状の切り欠き凹部を有することを特徴とする請求項１、請求項２、請求項３請求項４又は請求項５に記載の収納階段。
【請求項７】
蹴込み板は、側板に蟻掛け継ぎ接合又はサネ凹凸接合のいずれかによる嵌合接合されていることを特徴とする請求項１、請求項２、請求項３、請求項４、請求項５又は請求項６に記載の収納階段。
【請求項８】
踏み板は、前方部が蹴込み板の段鼻部の切り欠き凹部上に開閉可能に載置され、後方部がヒンジを介在して奥面板の上端部上に取付け固定されていることを特徴とする請求項１、請求項２、請求項３、請求項４、請求項５、請求項６又は請求項７に記載の収納階段。
【請求項９】
力桁の取付け固定と、側板の取付け固定と、側板の溝加工と、蹴込み板の取付け固定と、踏み板の取付け固定と、受け台の取付け固定と、収納部の取付け固定と、開閉補助手段の取付け固定との各工程を有することを特徴とする収納階段の製造方法。
【請求項１０】
蹴込み板の取付け固定が踏み板の取付け固定よりも先行し、かつ収納部の取付け固定が踏み板の取付け固定よりも先行する工程であることを特徴とする請求項９に記載の収納階段の製造方法。
【発明の詳細な説明】
【０００１】
【発明の属する技術分野】
本発明は、階段下の未利用空間を有効利用し、かつ踏み板が開閉可能な収納部を有する収納階段及びその製造方法に関するものである。
【０００２】
【従来の技術】
従来の階段９は、例えば図１０に示すごとく、少なくとも蹴込み板９１と、該蹴込み板９１に直交するように取付け板される踏み板９２と、前記蹴込み板９１を取付け固定する側板９０及び架橋材９４とにより構成されている。そして、踏み板９１は下地材９３の上に載置されている。また、下地材９３は、側板９０及び架橋材９４に取付け固定されている。なお、底面板９６は鎖線により図示してある。
【０００３】
上記従来の階段９は、特許文献１の図４として開示されている。特許文献１によれば、「水平出しが容易で、格別の養生が不要であり、踏み鳴りを起こさない、安価な仮設兼用階段及びその設置方法」が提案されている。
【０００４】
一方、本特許出願人は、特許文献２により「階段用入隅材及びその取付方法」に係る特許出願を提案している。
【０００５】
また、特許文献３により「側板収納階段」に係る特許出願を提案している。他方、図１２に示すごとく、段下に引手８１を有するダンス８のごとき、収納具も既に広く知られている。
【０００６】
上記特許文献２によれば、図７に示すごとく、特に昇段時において、足７のつま先７１が入隅材１１２に当接するものの、踏み板１２の前方突出部１２１につまづいて階段上で転倒することは殆どない。また、足７のつま先７１が外傷を負うことはなく、安全を十分に確保することが出来る。
【０００７】
【発明が解決しようとする課題】
しかしながら、上記特許文献１に開示された発明においては、図１０及び図１１に示すごとく、踏み板９２が前方において、突出端部１２１を有している。そのため、特に昇段時において、足７のつま先７１が前記突出端部１２１に当接してつまづくことがある。
【０００８】
それ故、昇段時において、階段上で転倒したり転落をして外傷を負うことになり、安全上好ましくない問題点がある。
【０００９】
また、図１１に示すごとく、踏み板９２の突出端部１２１の表面には滑り止め凹凸部９２２としてのノンスリップ材が取付け固定されている。
【００１０】
そのため、ノンスリップ材の取付け固定作業は煩わしく、繁雑である。
【００１１】
一方、特許文献２に係る発明は、「側板の近傍において、各種の収納機能を付加することより、未利用のスペースを有効利用して、収納の多様化を図るものである。
【００１２】
したがって、本発明のごとく、蹴込み板１１の後方で、かつ踏み板１２の下方に配置される収納部２とは異なる階段に関するものである。
【００１３】
他方、図１２に示すごとく、既に広く知られているタンス８のごとき収納具は、略三角状の未利用の空間であるデッドスペース８３を有している。そのため、段下において、未利用のスペースが存在することになる。
【００１４】
【特許文献１】
特開２００１−３２９６６９号公報
【特許文献２】
特願２００３−５５４９号
【特許文献３】
特願２００２−３７２１２２号
本発明は、上記従来の技術の問題点に鑑みてなされたものであって、階段の昇降時における安全性を確保すると共に、階段下の未利用の空間を有効利用し、かつ踏み板が開閉可能な収納部を有する収納階段及びその製造方法を提供しようとするものである。
【００１５】
【課題を解決するための手段】
そこで本発明は、前記従来の技術の課題を解決するため、下記の通り請求項１〜請求項１０に記載の発明を採用することにした。
【００１６】
なお、本発明の内容を具体的に説明するため、実施例において使用する図面の符号を付して説明する。
【００１７】
まず請求項１に記載された発明が採った手段は、蹴込み板１１と、該蹴込み板１１と直交するよう取付け板される踏み板１２と、前記蹴込み板１１を取付け固定する側板１３と、少なくとも前記蹴込み板１１及び踏み板１２を支承する力桁１４とにより構成される階段であって、踏み板１２は後方において開閉用のヒンジを有し、さらに蹴込み板１１の後方で、かつ踏み板１２の下方には、少なくとも底面板２１と奥面板２２と開閉補助手段２６〜２８からなる収納部２を有することを特徴とする収納階段１を提供するものである。
【００１８】
これにより、蹴込み板１１と踏み板１２と側板１３などによって囲まれる未利用のデッドスペース空間を有効に活用し、踏み板１２が開閉可能な収納部２を有する収納階段１を提供することが出来る。
【００１９】
また請求項２に記載された発明が採った手段は、底面板２１及び奥面板２２は、プレカット製品として予め木材加されたものであって、針葉樹林木材からなる寸法安定集成材、該寸法安定集成材を芯材とするランバー合板のいずれかにより構成されていることを特徴とする収納階段１を提供するものである。
【００２０】
これにより、収納部２を構成する底面板２１及び奥面板２２は、予め木材加されたプレカット製品であるため、現場施工における作業能率を向上させることが出来る。また、底面板２１及び奥面板２２は、広葉樹木材よりも比較的軽量で、かつ入手し易い材料であって、寸法安定性に優れる。そのため、寸法安定集成材及びランバー合板で構成されると、狂いや歪みの少ない寸法精度の良い収納部２を得ることが出来る。
【００２１】
そして、請求項３に記載された発明が採った手段は、底面板２１及び奥面板２２は、ダボ接合又は釘打ち接合及び接着剤接合の併用接合、蟻形打付け継ぎ接合、包蟻組継ぎ接合のいずれかであることを特徴とする収納階段１を提供するものである。
【００２２】
これにより、底面板２１と奥面板２２との強固な接合力を有する収納部２を得ることが出来る。
【００２３】
次に、請求項４に記載された発明が採った手段は、開閉補助手段は、埋込み引手２７、下りブラ引手、マグネットキャッチ２６、リンクたすき具２８、ばね付き丁番１２２、スライド丁番、爪掛け開閉具のいずれか１種以上の組合せ具であることを特徴とする収納階段１を提供するものである。
【００２４】
これにより、収納部２の開閉よ蓋面を構成する踏み板１２を蹴込み板１１、前面板２３、側面板２４などに取付け固定し、踏み板１２を開閉可能とすることが出来る。
【００２５】
また、請求項５に記載された発明が採った手段は、収納部２は、前面板２３と側面板２４と包蟻組継ぎ接合２１と奥面板２２又は前面板２３と底面板２１と奥面板２２とにより構成されていることを特徴とする収納階段１を提供するものである。
【００２６】
これにより、収納部２を予め木材加されたプレカット製品を採用することにより、容易にしてかつ迅速に取付け固定することが出来ると共に、収納部２は側面板２４の代用として側板１３の一部を利用した収納部２を構成することが出来る。
【００２７】
一方、請求項６に記載された発明が採った手段は、蹴込み板１１は、上方表面部に滑り止め凹凸部１１０を刻設した段鼻部１１１及びこれと下方に連なる入隅部１１２を有し、かつ湾曲扁平状ないし略扁平三角形状の切り欠き凹部１１３を有することを特徴とする収納階段１を提供するものである。
【００２８】
これにより、踏み板１２の前方上端部において、滑り止め凹凸部１１０としてのステップ材などを現場施工において取付け固定したり、足７つま先７１の当該防止用の入隅部１１２を取付け固定する作業を省き、作業の迅速化及び簡易化を図ることが出来る。
【００２９】
そして、請求項７に記載された発明が採った手段は、蹴込み板１１は、側板１３に蟻掛け継ぎ接合２０１又はサネ凹凸接合２０２のいずれかによる嵌合接合されていることを特徴とする収納階段１を提供するものである。
【００３０】
これにより、左右一対の側板１３、１３に蹴込み板１１を強固に取付け固定し、構造上強固安定な収納階段１を得ることが出来る。
【００３１】
また、請求項８に記載された発明が採った手段は、踏み板１２は、前方部が蹴込み板１１の段鼻部１１１の切り欠き凹部１１４上に開閉可能に載置され、後方部がヒンジを介在して奥面板２２の上端部上に取付け固定されていることを特徴とする収納階段１を提供するものである。
【００３２】
これにより、踏み板１２は、収納部２における開閉可能な上面蓋部としての踏み板１２を構成することが出来るため、踏み板１２が開閉可能な収納階段１を得ることが出来る。
【００３３】
そして、請求項９に記載された発明が採った手段は、力桁１４の取付け固定と、側板１３の取付け固定と、側板１３の溝加工と、蹴込み板１１の取付け固定と踏み板１２の取付け固定と、受け台１５の取付け固定と、収納部２の取付け固定と、開閉補助手段２６〜２８の取付け固定との各工程を有することを特徴する収納階段１の製造方法を提供するものである。
【００３４】
これにより、まず蹴込み板１１を側板１３に取付け固定し、その後に踏み板１２を蹴込み板１１又は収納部２の奥面板２２の上端部に開閉可能にヒンジを介して取付けることが出来る。
【００３５】
したがって、従来の階段の製造方法よりも蹴込み板１１と踏み板１２との取付け順序が入れ替わり、側板１３に蹴込み板１１を強固に嵌合して、構成上強固で安定な収納階段１を製造することが出来る。
【００３６】
また、請求項１０に記載された発明が採った手段は、蹴込み板１１の取付け固定よりも先行し、かつ収納部２の取付け固定が踏み板１２の取付け固定よりも先行することを特徴とする収納階段１の製造方法を提供することが出来る。
【００３７】
これにより、収納階段１を構成するに当たって、一対の側板１３の内側において、蹴込み板１１と収納部２と踏み板１２とを原則として順次取付け固定して、作業能率を向上させることが出来る。
【００３８】
【発明の実施の形態】
本発明の実施の形態につき、請求項１〜請求項１０及び実施例１〜２の記載に対応させながら、特に実施例で使用する図面に基づいて、本発明の各種態様を具体的に説明する。
【００３９】
まず、図１は、本発明の収納階段１の主要部の略中央部の断面図であり、実施例１に係る収納階段１の一実施様態である。
【００４０】
図１において、注目すべきことは、蹴込み板１１の上方表面部に滑り止め凹凸部１１０を刻設した段鼻部１１１及びこれと下方に連なる入隅部１１２を有し、かつ湾曲扁平状の切り欠き凹部１１３を有することである。これは、請求項６に記載の発明に対応するものである。これにより、踏み板１２の前端部は、段鼻部１１１の切り欠き凹部１１４上に開閉可能に載置され、また踏み板１２の後端部は、湾曲扁平状の切り欠き凹部１１３内又は奥面板２２の上端部にばね付き丁番１２２又はスライド丁番１２３などのヒンジを介在して取付け固定され、踏み板１２が収納部２の上面蓋部として開閉可能に取り付けられることが出来る。
【００４１】
次に、注目すべきことは、収納階段１の一部平面図である図２に示すごとく、左右一対の側板１３、１３において、蟻掛け凹部１３０を形成し、この蟻掛け凹部１３０内に蹴込み板１１の両端部に形成した蟻掛け凸部１１４を嵌合接合していることである。これにより、蟻掛け凹凸嵌合による強固な接合により、特に引き抜き力に対して強力に耐えられる接合を形成することが出来ることが出来る。
【００４２】
そして、更に注目すべきことは、図３に示すごとく、収納部２を構成する奥面板２２，前面板２３、側面板２４は、それぞれ蟻形打付け継ぎ接合又は包蟻組継ぎ接合による嵌合接合により、強固に接合していることである。図３は、実施例１に係る収納部２を構成するに当り、奥面板２２と側面板２４とを接合する状態を示す斜視図であって、強固な接合をするための請求項３に記載された発明の一実施態様の一例である。
【００４３】
また、図４の（ハ）は、収納部２の上面蓋部である踏み板１２を開放するに当り、収納部２における側面板２４の内側又は外側に取付けられるリンクたすき具２８の説明図である。図４の（ハ）、（ニ）に示すごとく、収納部２において、上面蓋部としての踏み板１２を開放した時に、踏み板１２を支えるリンクたすき具２８の作動状態の一実施態様を示すものである。
【００４４】
次に、図５の（ホ）は、踏み板１２を蹴込み板１１に閉止しておくために使用される爪掛け開閉具４としての、例えばプラスチック製のクリップ又はアンカー並びにマグネットキャッチ２６取付け固定状態を示す説明図である。
【００４５】
図５において、爪掛け開閉具４が埋め込み状態の係止穴具４３内に係止嵌入する直前の状態を示している。図５の（ホ）は、上記係止穴具４３の挿入口４７の近傍にゴム弾性膨張体内４６に内蔵されたコイルばね４４の付勢力を引手４５の作動により、爪掛け開閉具４の挿入口４７が開放された状態を示している。
【００４６】
また、図５の（ヘ）は、蹴込み板１１の段鼻部１１１の切り欠き凹部１１４に取付けられたマグネットキャッチ２６と踏み板１２の前方裏面側に取り付けられたマグネットキャッチ２６とが磁力により相互に接合して、収納部２における上面蓋部としての踏み板１２が閉止された状態を示している。
【００４７】
一方、図６は、蹴込み板１１の前方両端部において取付け固定される踏み板１２を上方に開放するために使用する開放用把手としての下りブラ引手５及び埋込み引手６の説明図である。図６の（チ）は、下りブラ引手５の斜視図であり、図６の（ト）は、埋込み引手６の正面図である。
【００４８】
図７は、特許文献２に開示された入隅部１１２と同様の作用効果を示す説明図である。そして、本発明の実施例１に係る収納階段１においても特許文献２と同様の効果を奏する蹴込み板１１の上方部に形成された入隅部１１２の効果を示す参考説明図である。
【００４９】
これにより、踏み板１２の前方突出部１１２に足７のつま先７１は当接して、階段上で転倒しなくなる効果が発揮される。
【００５０】
他方、図８は、本発明の実施例１に係る収納階段１の製造方法の一例を示すフローチャート図である。なお、本図においては、本発明の製造方法と従来の製造方法とが対比して示されている。これは、請求項９に記載の発明と対応するものである。なお、請求項１０に記載された発明においては、本図の「（６）の受け台１５の取付け固定」と「（７）収納部２の取付け」が「（５）の踏み板１１の取付け」が、請求項１０に記載された発明に示す通り、工程手順が入れ替わる態様である。
【００５１】
図９は、本発明の実施例２に係る収納階段１の略中央部断面図である。図９において、実施例１に係る収納階段１と異なる主要点は、収納部２が底面板２１と奥面板２２と蹴込み板１１の後法面１５と側板１３の一部が側面板２４の代用をなす構成となっている点である。なお、図９においては、側面板２４に代る側板１３の一部は示されていない。側板１３は収納階段１の左右両端部に位置するからである。
【００５２】
そのため、請求項１において、「少なくとも底面板２１と奥面板２２と開閉補助手段２６〜２８からなる収納部２を有する」と記載されているのも、図９及び実施例２に示す如き実施の態様が本発明においてはあり得ることを意味しているのである。収納部２は、なるべく少ない材料により構成することが好ましいからである。
【００５３】
以下に、本発明の好ましい実施例１及び実施例２について、図１〜図９を用いて具体的に説明する。なお、これらの実施例は、本発明の一実施態様であって、本発明の技術的範囲は、これらの実施例に拘束されるものではなく、更に変形や改良も可能である。
【００５４】
（実施例１）
本例は、図１〜図８に示すごとく、蹴込み板１１の後方で、かつ踏み板１２の下方には、底面板２１と奥面板２２と前面板２３と側面板２４と開閉補助手段２６〜２８とにより構成された収納階段１及びその製造方法を提供するものである。また、収納階段１の外に収納部２以外の収納部を形成することも出来る。
【００５５】
図１において、蹴込み板１１は上方表面部に滑り止め凹凸部１１０を刻設した段鼻部１１１及びこれと下方部において、断面が湾曲扁平状の切り欠き凹部１１３を有する。
【００５６】
上記段鼻部１１１は、その後方部において、断面形状が略鉤状の切り欠き凹部１１４を有する。そして、該切り欠き凹部１１４には、薄いゴムシート状物からなるパッキン弾性体１１５が貼着されている。
【００５７】
上記段鼻部１１１の上方表面部には、滑り止め凹凸部１１０が刻設されているため、階段の昇降時において足を滑らしたり、踏み外すことがない。
【００５８】
また、蹴込み板１１は予め木材加されたプレカット製品であるため、現場施工時において、従来の階段のごとく、滑り止め凹凸部９２２としてのノンスリップ材（図１１参照）を装着する必要がなく、作業能率性に優れている。
【００５９】
上記入隅部１１２は、上記段鼻部１１１と下方に連なるよう形成されているため、図７に示すごとく、特に昇降時において足７のつまさき７１が踏み板１２の前端突出部１１２に直接当接して転倒したり、足７に怪我をすることがない（図１１参照）。
【００６０】
ここで注目すべきことは、図１に示すごとく、上記段鼻部１１１に形成された略鉤状の切り欠き凹部１１４には、パッキン弾性体１１５が貼付されているため、収納部２の上面蓋部としての踏み板１２とその受け台としての蹴込み板１１の切り欠き凹部１１４のパッキン弾性体１１５により閉止時の衝撃を緩和すると共に、閉止時の気密性を保持することが出来る。
【００６１】
また、蹴込み板１１の両端部の近傍には、〔図５〕の（へ）に示すごとく、上記パッキン弾性体１１５の一部に代えて、マグネットキャッチ２６が配置されている。また、このマグネットキャッチ２６は、蹴込み板１１の切り欠き凹部１１４に配置されたマグネットキャッチ２６と対応する位置にも踏み板１２の裏面側１２４に配置されている。
【００６２】
これにより、踏み板１２の先端部１２５の裏面側１２４と蹴込み板１１の切り欠き凹部１１４とは、収納部２の閉止時において気密性を保持すると共に、開放時にはマグネットキャッチ２６同士が相互に離脱する。なお、図１に示すごとく、収納部２の下方には、取手３０を有する大物入れ収納部３１及び小物入れ収納部３２、３３を形成することもできる。
【００６３】
一方、図２に示すごとく、左右一対の側板１３、１３には蟻掛け凹部１３０が形成されている。こして、この蟻掛け凹部１３０内には、蹴込み板１１の両端部に形成された一対の蟻掛け凸部１１５、１１５が嵌入されている。これにより、蹴込み板１１は側板１３に強固に立設される。なお、力桁１４は、図２に示すごとく、側板１３の外側に取付け固定されている。
【００６４】
また、上記蹴込み板１１、１１と側板１３、１３によって囲まれたスペース内には、底面板２１と奥面板２２と前面板２３ち側面板２４とにより構成された収納部２が取付け固定される。そして、図１及び図２に示すごとく、蹴込み板１１の両端部においては、段鼻部１１１内に埋込み引手６が配設されている。この埋込み引手６は、連結棒２９を介在して、図１に示すごとく、踏み板１２の先端部に連結されている。
【００６５】
他方、図１及び図２に示すごとく、踏み板１２の後端部にはばね付き丁番１２２を介在して蹴込み板１１の下方の切り欠き凹部１１３内に開閉可能に取付け固定されている。上記奥面板２２と側面板２４とは、図３に示すごとく、蟻形打付け継ぎ接合又は包蟻組継ぎ接合による嵌合接合により、強固接合することが出来る。
【００６６】
図３の（イ）は、包蟻組継ぎ接合により奥面板２２に形成された嵌合凹部２２１内に、側面板２４に形成された嵌合凸部２４１を嵌入して接合する。
【００６７】
また、図３の（ロ）は、側面板２４に形成された嵌合凹部２４２内に、奥面板２２に形成された嵌合凸部２２２を嵌入し、釘２５を用いて釘打ち接合及び接着剤接合の併用接合を行うものである。
【００６８】
次に、図４の（ハ）は、トーションバーなどのスライドたすき具２７の一例を示す説明図である。本例においては、図４の（ニ）に示すリンクたすき具２８を使用する。このリンクたすき具２８は、下方を側板１３上に回動取付具１２５を用いて取付け固定し、上方を踏み板１２の中央部にリンク機構を補助するコイルバネ２８１を有する。
【００６９】
なお、上記図４の（ハ）に示すスライドタスキ具２７は、実施例２において使用するものであり、上記リンクたすき具２８に代えて用いられるものである。
【００７０】
また、図５の（ホ）に示す爪掛け開閉具４は、実施例２において使用するものであり、例えば弾性プラスチック製のクリップアンカー４２の本体と鍔４１とよりなるものである。
【００７１】
そして、図５の（へ）に示すマグネットキャッチ２６は、実施例１において使用する上面蓋部としての踏み板１２を閉止密着させるものである。このマグネットキャッチ２６は、踏み板１２の裏面側１２４の前端部１２５に装着される。一方、蹴込み板１１の切り欠き凹部１１４上にも上記２６が対応する位置に装着される。これにより、上面蓋部としての踏み板１２は、図１に示すごとく、開閉自在となる。さらに、踏み板１２の前方両端部においては、開閉用つまみ（図示略）を段鼻部１１１の両端後部を切り欠いて取付け固定しておく。
【００７２】
一方、図６の（ト）に示す埋込み引手６は、把手部６１が磁性体により構成され、埋込み台座６２の凹部６３内に着脱可能に装着されている。この埋込み引手６は、取付穴６４にビスやねじ釘などの取付け具を用いて、蹴込み板１１の段鼻部１１１の両端部において切り欠き凹部を形成して埋込み装着される。そして、上記開閉用つまみ及び把手部６１を引き出して上方に持ち上げることにより、図１及び図２に示すごとく、連結棒２９を介して踏み板１２が上方に開放される。したがって、連結棒２９の上方は切り欠き凹部を設けて開放状態になっている（図示略）。
【００７３】
また、図６の（４）は、滑り止め凹凸部２において使用する下りブラ引手５の斜視図であり、つまみ引手５１と連結棒４７（図５の（ホ）参照）を内蔵する取付け具５２とよりなる。したがって、つまみ引手５１を手前に引くと、図５の（ホ）の下段図に示すごとく、コイルばねの付勢力が解除されて、挿入口４７が開放状態になる。そのため、つまみ引手５１を上方に持ち上げることにより、上面蓋部としての踏み板１２は図１に示すごとく、上方に開放状態になる。
【００７４】
なお、図５の（ホ）及び図６の（チ）の組合せ具については、滑り止め凹凸部２において詳しく説明する。また、図４の（ハ）に示すスライドタスキ具２７についても実施例２において、その作用効果と共に説明する。上記下りブラ引手５は埋込み引手６に代えて使用するものであり、上記スライドタスキ具２７はリンクたすき具２８に代えて使用するものだからである。
【００７５】
次に、本例に係る収納階段１の製造方法について説明する。
図９に示すごとく、収納階段１は原則として、（１）力桁１４の取付け固定工程と、（２）側板１１と取付け固定工程と、（３）側板１１の溝加工工程と、（４）蹴込み板１１の取付け固定工程と、（５）踏み板１２の取付け固定工程と、（６）受け台１５の取付け固定工程と、（７）収納部２の取付け固定工程と、（８）開閉用補助部材（図４〜図６参照）の取付け固定工程との順序で行われる。
【００７６】
実施例１においては、（６）受け台１５の取付け固定工程と（７）収納部２の取付け固定工程が（５）踏み板１２の取付け固定工程よりも先行して行われる。これが請求項１０に記載された発明の実施態様に対応するものである。
【００７７】
そして、ここで注目すべきことは、図９に示すごとく、本発明の製造方法を従来の製造方法と対比すると明かなごとく、蹴込み板１１取付け固定工程が踏み板１１の取付け固定工程よりも先行していることである。
【００７８】
これにより、まず踏み板１２が側板１３に蟻掛け嵌合などにより強固に接合されることにより、踏み板１２を強固な構造上の蹴込み板１１上に安定して載置し取付け固定することが出来るからである。
【００７９】
従来の製造方法においては、踏み板１２は側板１３に刻設された大入れ溝内にくさびを介在して取付け固定するものであった。
【００８０】
したがって、安定した構造上の蹴込み板１１上に踏み板１２を載置する製造方法は、従来の製造方法に比較して作業迅速性及び構造の強固安定性において優れることになる。また、収納部２は、蹴込み板１１の後方に位置するため、段板吸付き桟としての機能を発揮し、強固な構造となる。
【００８１】
一方、側板１３上に受け台１３を取付け固定した後に、本例のごときプレカット製品として予め木材加された包蟻組継ぎ接合２１、奥面板２２、前面板２３、側面板２４からなる収納部２を上記受け台１３上に取付け固定することにより、強固で安定した収納部２を所定の位置に形成することが出来る。
【００８２】
したがって、本例によれば、階段下の未利用の空間において、踏み板１２が開閉可能な収納階段１を強固で安定な構造により製造することが出来る。また、昇降時に転倒事故などを起こさない安全な収納階段１を作業能率良く製造することが出来る。
（実施例２）
本例は、図９に示すごとく、収納部２が底面板２１と奥面板２２とのプレカット製品と、蹴込み板１１の後方面１１７と、側板１３の一部を側面板２４に代えて構成した収納部２を有する収納階段１を提供するものである。
【００８３】
また、実施例１におけるリンクたすき具２８に代えて、図４の（ハ）に示すごとく、ブレーキ付きロッドタイプのスライドタスキ具２７を使用するものである。このスライドタスキ具２７は、収納部２の底面板２１上に取付具２１５を介して取付け固定すると共に、踏み板１２の側面切り欠き凹部１２８内に取付具２１５を介して取付け固定したものである。上面蓋部としての踏み板１２を上方に開放したとき、ロッド１２９が上下動した後に静止するストップ装置付きのものである。
【００８４】
一方、図２に示すごとく、埋込み引手６に代えて下りブラ引手５（図６の（チ）参照）を蹴込み板１１の段鼻部１１１の両端部に取付け固定するものである。
【００８５】
図５の（ハ）に示すごとく、埋込み引手６に代えて下りブラ引手５（図６の（チ）参照）を蹴込み板１１の段鼻部１１１の両端部に取付け固定するものである。
【００８６】
図５の（ハ）に示すごとく、爪掛け開閉具４は弾性プラスチック製又は板ばね製のクリップ４２と鍔４１を有する。そして、このクリップ４２は、鍔４１を介して踏み板１２の前端部１２５の裏面側１２４に装着される。一方、係止穴具４３は、ゴム製の弾性膨張体内４６に内蔵されたコイルばね４４を挿入口４７の近傍に有する。
【００８７】
ここで、前記下りブラ引手５（図６（４）参照）を手間に引いて上方に持ち上げると、連結棒４９の作動により、コイルばね４４は付勢状態が解除される。これにより、上記クリップ４２は上方に開放されて、上面蓋部としての踏み板１２は、図９に示すごとく、上方に開放されて、収納部２の蓋が開くことになる。なお、図９においては、便宜上、図４の（ハ）に示したスライドタスキ具２７及び図５の（ホ）に示すごとき爪掛け開閉具４は省略してある。
【００８８】
一方、踏み板１２は、図９に示すごとく、スライド丁番１２３が装置されている。ここでスライド丁番１２３とは、回転軸が溝内において、開閉と同時にスライド移動する丁番である。そして、その他の構成は、実施例１に係る収納階段１と同様とした。
【００８９】
したがって、本例によれば、収納部２を構成する材料としての前面板２３及び側面板２４を省略することが出来るため、省資源の収納部２を製造することが出来る。
【００９０】
【発明の効果】
本発明は、請求項１〜請求項１０に記載された発明により構成されているため、下記に示すような諸々の効果を奏すものである。
【００９１】
まず請求項に記載された発明のよれば、蹴込み板１１と踏み板１２と側板１３などによって囲まれる未利用のデッドスペース空間を有効に活用し、踏み板１２が開閉可能  収納部２を有する収納階段１を提供することが出来る。
【００９２】
また、請求項２に記載された発明によれば、収納部２を構成する底面板２１及び奥面板２２は、予め木材加されたプレカット製品であるため、現場施工における作業能率を向上させることが出来る。また、底面板２１及び奥面板２２は、広葉樹木材よりも比較的軽量で、かつ入手しやすい材料であって、寸法安定性に優れる。そのため寸法安定集成材及びランバー合板で構成されると、狂いや歪みの少ない寸法精度のよい収納部２を得ることが出来る。
【００９３】
そして、請求項３に記載された発明によれば、底面板２１と奥面板２２との強固な接合力を有する収納部２を得ることが出来る。
【００９４】
また、請求項４に記載された発明によれば、収納部２の開閉用蓋面（上面蓋部）を構成する踏み板１２を蹴込み板１１，前面板２３，側面板２４などに取付け固定し，踏み板１２を開閉可能とすることが出来る。
【００９５】
請求項５に記載された発明によれば、収納部２を予め木材加されたプレカット製品を採用することにより、容易にしてかつ迅速に取付け固定することが出来ると共に、収納部２のダボ接合２４の代用として側板１３の一部を利用した収納部２を構成することが出来る。
【００９６】
また、請求項に記載された発明によれば、踏み板１２の前方上端部において、滑り止め凹凸部１１０としてのステップ材などを現場施工において取付け固定したり、足７のつま先７１の当接防止用の入隅部１１２を取付け固定する作業を省き、作業の速速化及び簡素化を図ることが出来る。
【００９７】
請求項７に記載された発明によれば、左右一対の側板１３，１３に蹴込み板１１を強固に取付け固定し、構造上強固安定な収納階段１を得ることが出来る。
【００９８】
また、請求項８に記載された発明によれば、踏み板１２は、収納部２における開閉可能な上面蓋部としての踏み板１２を構成することが出来る。
【００９９】
そして、請求項９に記載された発明によれば、まず蹴込み板１１を側板１３に取付け固定し、その後に踏み板１２を蹴込み板１１又は収納部２奥面板２２の上端部に開閉可能にヒンジを介して取り付けることが出来る。
【０１００】
従って、従来の階段の製造方法よりも蹴込み板１１と踏み板１２との取付順序が入れ替わり、側板１３に蹴込み板１１を強固に嵌合して、構造上強固で安定な収納階段１を製造することが出来る。
【０１０１】
また、請求項１０に記載された発明によれば、収納階段１を構成するに当たって、一対の側板１３の内側において、蹴込み板１１と受け台１５と収納部２と踏み板１２とを原則として順次取付け固定して、作業能率を向上させることが出来る。
【０１０２】
以上のごとく、本発明によれば、階段下の未利用の空間を有効利用して、踏み板１２が開閉可能なｐ２を有する収納階段１及びその製造方法を提供することが出来る。
【図面の簡単な説明】
【図１】本発明の実施例１に係る収納階段の主要部における略中央部の一部断面図。
【図２】本発明の実施例１にかかる収納階段の一部平面図。
【図３】本発明の実施例１に係る収納階段の収納部を構成する奥面板と側面板との嵌合接合の一例をしめる斜視図。
【図４】本発明の実施例１に係る収納階段の開閉補助手段としてたすき具の一部を示す説明図。
【図５】本発明の実施例１にかかる収納階段の開閉補助手段としての一態様を示す説明図。
【図６】ほんはつめいの実施例１に係る収納階段の開閉補助手段としての把手具の一態を示す説明図。
【図７】本発明の特許文献２に開示された入隅部と同様の効果についての説明図。
【図８】本発明の実施例１に係る収納階段の製造方法としてのフローチャート図。
【図９】本発明の実施例２に係る収納階段の略中央部の一部断面図。
【図１０】従来技術としての特許文献１に開された階段の一部断面図。
【図１１】従来技術としての特許文献１に開示された階段の問題点の説明図。
【図１２】従来の階段の一部断面の側面図。
【符号の説明】
１          収納階段
１１        蹴込み板
１１１      段鼻部
１１２      入隅部
１１３      切り欠き凹部
１２        踏み板
１３        側板
１４        力桁
２          収納部
２１        底面板
２２        奥面板
【図１】
2005009092.tif 000003
【図２】
2005009092.tif 000004
【図３】
2005009092.tif 000005
【図４】
2005009092.tif 000006
【図５】
2005009092.tif 000007
【図６】
2005009092.tif 000008
【図７】
2005009092.tif 000009
【図８】
2005009092.tif 000010
【図９】
2005009092.tif 000011
【図１０】
2005009092.tif 000012
【図１１】
2005009092.tif 000013
【図１２】
2005009092.tif 000014